(57)【特許請求の範囲】
【請求項１】
バグフィルターの逆洗に用いる空気増幅装置であって、
外部の空気を誘引する外部空気誘引口と、増幅された空気を排出する増幅空気排出口と、前記外部空気誘引口から前記増幅空気排出口へ渡って設けられた筒状の側壁と、が備えられた空気増幅部と、
圧縮された空気を導入する圧縮空気導入口と、圧縮空気を前記空気増幅部へ噴射する圧縮空気噴射孔と、前記圧縮空気導入口から導入された圧縮空気を前記圧縮空気噴射孔へ誘導する湾曲状の圧縮空気誘導壁と、が備えられた圧縮空気導入部と、
を少なくとも備え、
前記圧縮空気導入部は、
前記圧縮空気誘導壁を含む第１部材と、
前記空気増幅部へ連設された第２部材と、
前記第１部材と前記第２部材が継合される加締め部と、
該加締め部において、前記第１部材と前記第２部材に挟持され、前記第１部材と前記第２部材との間に形成された間隙である前記圧縮空気噴射孔の幅を調整するためのシム部材と、
からなるバグフィルター用空気増幅装置。
【請求項２】
前記シム部材は、リング状である請求項１記載のバグフィルター用空気増幅装置。
【請求項３】
前記圧縮空気導入部の内部には、前記圧縮空気導入部内部での圧縮空気の流動方向を遮蔽するように、遮蔽板が備えられた請求項１または２に記載のバグフィルター用空気増幅装置。
【請求項４】
前記遮蔽板は、前記シム部材に連設された請求項３記載のバグフィルター用空気増幅装置。
【請求項５】
前記遮蔽板は、前記圧縮空気導入口における圧縮空気の導入直後の流動方向側に設けられた請求項３または４に記載のバグフィルター用空気増幅装置。
【請求項６】
バグフィルターの逆洗に用いる空気増幅システムであって、
請求項１から５のいずれか一項に記載の空気増幅装置と、
該空気増幅装置の前記圧縮空気導入部へ圧縮空気を導入する圧縮空気導入管と、
を少なくとも備えたバグフィルター用空気増幅システム。
【発明の詳細な説明】
【技術分野】
【０００１】
本発明は、バグフィルター用空気増幅装置に関する。より詳しくは、バグフィルターの逆洗に用いるバグフィルター用空気増幅装置および該バグフィルター用空気増幅装置を用いたバグフィルター用空気増幅システムに関する。
【背景技術】
【０００２】
従来から、焼却場や一般的な工場などにおける粉塵の除去や、紛体工場などにおける紛体の収集などに、バグフィルター（濾布式集塵機）が用いられている。バグフィルターは、濾過集塵装置の一つであり、濾材として織布や不織布を用い、これを円筒状にして粉塵の除去や紛体の収集などを行う装置である。【０００３】
例えば、特許文献１には、含塵空気室と浄化空気室とを選択して連結する清掃回路を設け、該回路には有毒ガス除去部材と加熱器及び温風循環ファンとを備え、浄化空気室内の空気を清掃回路を介して加熱して含塵空気室に導入し、循環して含塵空気室内を加熱し、該含塵空気室内の塵埃を有毒ガス除去部材により無害化することにより、作業者の立ち入りを可能とし、濾布の取り出し作業を容易に行うことを可能とした濾布式集塵機が開示されている。【０００４】
このようなバグフィルターでは、通常時には、吸引されてきた粉塵や紛体がフィルター（特許文献１の図１では符号１０）に付着し、粉塵や紛体を含有しない空気のみが排出される（特許文献１の図１では符号５側へ排出される）ことで、粉塵の除去や紛体の収集などが行われる。しかし、操業を続けていると、次第にフィルターに粉塵や紛体が付着し堆積することにより、フィルターの濾過効果が低下する。そこで、一定周期毎に、圧縮した空気をフィルターの濾過方向とは逆の方向から噴射し、フィルターに付着した粉塵や紛体を払落する、所謂、逆洗が行われている。【０００５】
例えば、特許文献１の濾布式集塵機は、圧縮空気を送り込む逆噴射パイプ（特許文献１の図１では符号１２）と、圧縮空気を噴射するノズル（特許文献１の図１では符号１３）とを用いて、逆洗を行うことができるように設計されている。【０００６】
また、近年においては、コアンダ効果を有する空気増幅装置を用いてバグフィルターの逆洗を行うことが行われつつある。コアンダ効果を有する空気増幅装置からは、フィルターの側面とほぼ平行に逆洗用の空気が噴射されるため、フィルターの側面にダメージを与えることなく、フィルターに付着した粉塵や紛体を払落することができる。【０００７】
例えば、特許文献２には、加圧空気の経路変更による圧力損失を軽減するために、加圧空気の流入口と、外部空気の流入口とが同一平面上に配置されたコアンダインジェクターが開示されている。【０００８】
また、特許文献３には、圧縮空気を供給する導管を２つの分岐管に分けて、その分岐管の上部に空気増幅器を共に連結して空気増幅器から増幅された空気の圧力によって周辺装備の障害なく、より多量の周辺空気をより早い速度でバグフィルターに均一に供給して高い脱塵効果が発揮できるようにした空気増幅器を利用した圧縮空気噴射装置が開示されている。【０００９】
ここで、これらの空気増幅器の原理を、特許文献３の図面を用いて説明する。まず、圧縮された空気が圧縮空気導入部（特許文献３図３では符号（１））へ送りこまれる。そして、送り込まれた圧縮空気が、圧縮空気噴射孔から空気増幅部へ噴射されると（特許文献３図３では符号（２）〜（３））、コアンダ効果が発生する。発生したコアンダ効果により、外部の空気が空気増幅部へ誘引され（特許文献３図３では符号（４））、空気が増幅される。【００１０】
ところで、コアンダ効果を効率よく発生させるためには、圧縮空気噴射孔からの圧縮空気の噴射能力が非常に重要である。従来の空気増幅装置では、例えば、特許文献２図５の符号１６のように、圧縮空気噴射孔の部分にスペーサーなどを配置して、圧縮空気噴射孔の孔を確保していた。つまり、空気増幅部へ続く下側のボディー（特許文献３図３では符号２２２）と、上側のボディー（特許文献３図３では符号２２１、特許文献２図５では符号１０）とで、圧縮空気噴射孔の隙間が無い状態の圧縮空気導入部（特許文献２図５では符号５）を形成し、その後、圧縮空気噴射孔の部分にスペーサー（特許文献２図５では符号１６）などを配置して、圧縮空気噴射孔の隙間を確保していた。
【先行技術文献】
【特許文献】
【００１１】
【特許文献１】特開２００３−１２６６３７号公報
【特許文献２】米国特許第６６０４６９４
【特許文献３】特開２００８−１１５８４７号公報
【発明の概要】
【発明が解決しようとする課題】
【００１２】
前述のように、従来の空気増幅装置では、圧縮空気噴射孔の部分にスペーサー（特許文献２図５では符号１６）などを配置して、圧縮空気噴射孔の隙間を確保していた。しかし、この方法は、本来、密接している上側ボディーと下側ボディーとの間に、スペーサーによって無理やり隙間を形成しているため、密接状態へ戻ろうとする力が発生し、スペーサーが配置されていない部分の上側ボディーが落ち込み、スペーサー部分の隙間と、スペーサーの無い部分の隙間の大きさに差が生じるという問題があった。この場合、圧縮空気噴射孔からの圧縮空気の噴射にムラができてしまい、その結果、空気増幅能力も落ちてしまうという問題があった。【００１３】
また、スペーサーによって、圧縮空気の流れが妨げられ、これもまた、圧縮空気噴射孔からの圧縮空気の噴射能力の低下、ひいては、空気増幅能力の低下につながるという問題があった。【００１４】
そこで、本発明では、コアンダ効果を効率よく発生させるために、圧縮空気噴射孔からの圧縮空気の噴射能力の優れた、バグフィルターの逆洗に適する空気増幅装置を提供することを主目的とする。
【課題を解決するための手段】
【００１５】
上記技術的課題を解決するために、本願発明者は圧縮空気噴射孔の隙間を確保するための具体的な構成について鋭意研究を行った結果、従来の構造から発想を転換し、圧縮空気噴射孔の部分以外の構造に着目し、本発明を完成させるに至った。【００１６】
即ち、本発明では、まず、バグフィルターの逆洗に用いる空気増幅装置であって、
外部の空気を誘引する外部空気誘引口と、増幅された空気を排出する増幅空気排出口と、前記外部空気誘引口から前記増幅空気排出口へ渡って設けられた筒状の側壁と、が備えられた空気増幅部と、
圧縮された空気を導入する圧縮空気導入口と、圧縮空気を前記空気増幅部へ噴射する圧縮空気噴射孔と、前記圧縮空気導入口から導入された圧縮空気を前記圧縮空気噴射孔へ誘導する湾曲状の圧縮空気誘導壁と、が備えられた圧縮空気導入部と、
を少なくとも備え、
前記圧縮空気導入部は、
前記圧縮空気誘導壁を含む第１部材と、
前記空気増幅部へ連設された第２部材と、
前記第１部材と前記第２部材が継合される加締め部と、
該加締め部において、前記第１部材と前記第２部材に挟持され、前記圧縮空気噴射孔の幅を調整するためのシム部材と、
からなるバグフィルター用空気増幅装置を提供する。
本発明に係るバグフィルター用空気増幅装置の前記シム部材の具体的な形態としては、リング状のシム部材を用いることができる。
本発明に係るバグフィルター用空気増幅装置の前記圧縮空気導入部の内部には、前記圧縮空気導入部内部での圧縮空気の流動方向を一部遮蔽するように、遮蔽板を備えることができる。
この際、前記遮蔽板は、前記シム部材に連設して設けることができる。
また、前記遮蔽板は、前記圧縮空気導入口における圧縮空気の導入直後の流動方向側に設けることができる。【００１７】
以上の本発明に係るバグフィルター用空気増幅装置は、前記空気増幅装置の前記圧縮空気導入部へ圧縮空気を導入する圧縮空気導入管を加えて、バグフィルターの逆洗に用いる空気増幅システムとして好適に用いることができる。
【発明の効果】
【００１８】
以上の本発明に係るバグフィルター用空気増幅装置は、圧縮空気噴射孔の隙間が所望の大きさで一定に保たれているため、従来の空気増幅装置に比べ、圧縮空気噴射孔からの圧縮空気の噴射能力が高い。その結果、コアンダ効果を効率よく発生させ、空気増幅効率を向上させることが可能である。
【図面の簡単な説明】
【００１９】
【図１】本発明に係るバグフィルター用空気増幅装置１の第１実施形態を模式的に示す模式斜視図である。
【図２】本発明に係るバグフィルター用空気増幅装置１の第１実施形態を側面から視た断面模式図である。
【図３】本発明に係るバグフィルター用空気増幅装置１の第２実施形態を側面から視た断面模式図である。
【図４】本発明に係るバグフィルター用空気増幅装置１の第１実施形態を上部側から視た平面模式図である。
【図５】本発明に係るバグフィルター用空気増幅装置１の第３実施形態を上部側から視た平面模式図である。
【図６】本発明に係るバグフィルター用空気増幅装置１の第４実施形態を上部側から視た平面模式図である。
【図７】本発明に係るバグフィルター用空気増幅装置１の第５実施形態を側面から視た断面模式図である。
【図８】本発明に係るバグフィルター用空気増幅装置１の第６実施形態を側面から視た断面模式図である。
【図９】本発明に係るバグフィルター用空気増幅装置１の第１実施形態における圧縮空気導入部１２の内部を、上部側から視た平面模式図である。
【図１０】本発明に係るバグフィルター用空気増幅装置１の第６実施形態における圧縮空気導入部１２の内部を、上部側から視た平面模式図である。
【図１１】本発明に係るバグフィルター用空気増幅システム１０の第１実施形態を側面から視た断面模式図である。
【図１２】実験例１において用いた、空気圧を測定するための装置の模式図である。
【図１３】実験例１における風圧試験の結果を示す図面代用グラフである。
【発明を実施するための形態】
【００２０】
以下、本発明を実施するための好適な形態について図面を参照としながら説明する。なお、以下に説明する実施形態は、本発明の代表的な実施形態の一例を示したものであり、これにより本発明の範囲が狭く解釈されることはない。
【００２１】
＜１．バグフィルター用空気増幅装置１＞
図１は、本発明に係るバグフィルター用空気増幅装置１の第１実施形態を模式的に示す模式斜視図である。図２は、本発明に係るバグフィルター用空気増幅装置１の第１実施形態を、側面から視た断面模式図である。
【００２２】
本発明に係るバグフィルター用空気増幅装置１は、大別して、空気増幅部１１と、圧縮空気導入部１２と、を少なくとも備える。そして、空気増幅部１１は、外部空気誘引口１１１と、増幅空気排出口１１２と、側壁１１３と、を備え、圧縮空気導入部１２は、圧縮空気導入口１２１と、圧縮空気噴射孔１２２と、圧縮空気誘導壁１２３と、必要に応じて遮蔽板１２４と、を備える。以下、各部および圧縮空気導入部１２の構造的特徴について、詳細に説明する。
【００２３】
（１）空気増幅部１１
空気増幅部１１は、後述する圧縮空気導入部１２から噴射された圧縮空気によるコアンダ効果を利用して、空気を増幅させる部分である。
【００２４】
（ａ）外部空気誘引口１１１
外部空気誘引口１１１は、コアンダ効果によって、外部の空気を誘引する部分である。誘引される外部空気の流れを、図２符号Ｆ３で示す。外部空気誘引口１１１の開口面積や開口形状は、本発明の効果を損なわない限り特に限定されず、目的のバグフィルターに用いる濾布の大きさなどに合わせて自由に設計することができる。一例を挙げると、例えば、バグフィルターの濾布の直径が１５０ｍｍ程度の場合、内径７０〜８０ｍｍに外部空気誘引口１１１を設計することができる。
【００２５】
（ｂ）増幅空気排出口１１２
増幅空気排出口１１２は、増幅された空気をバグフィルターへ向かって排出する部分である。排出される増幅された空気の流れを、図２符号Ｆ４で示す。増幅空気排出口１１２の開口面積や開口形状は、本発明の効果を損なわない限り特に限定されず、目的のバグフィルターに用いる濾布の大きさなどに合わせて自由に設計することができる。一例を挙げると、例えば、バグフィルターの濾布の直径が１５０ｍｍ程度の場合、内径７０〜８０ｍｍに増幅空気排出口１１２を設計することができる。
【００２６】
従来のバグフィルター用空気増幅装置では、外部空気誘引口１１１と増幅空気排出口１１２は、同一の開口面積および開口形状に設計されていた（例えば、特許文献３図３参照）。本発明に係るバグフィルター用空気増幅装置１においても、従来と同様に、外部空気誘引口１１１と増幅空気排出口１１２を、同一の開口面積および開口形状に設計することも可能であるが、図３に示す第２実施形態のように、増幅空気排出口１１２の断面面積を、外部空気誘引口１１１の断面面積より広く設計することが好ましい。増幅空気排出口１１２の断面面積を、外部空気誘引口１１１の断面面積より広く設計することで、空気増幅効率を更に向上させることができる。
【００２７】
増幅空気排出口１１２の断面面積を、外部空気誘引口１１１の断面面積より広く設計する方法としては、後述する側壁１１３の所定部分を外側へ広げる方法がある。この際、圧縮空気噴射孔１２２から噴射される圧縮空気によるコアンダ効果が少なくとも持続される部位において、側壁１１３を外側へ広げることが好ましい（図３符号Ｗ参照）。コアンダ効果が少なくとも持続される部位において、側壁１１３を外側へ広げることで、確実に、空気増幅効率を向上させることができる。
【００２８】
（ｃ）側壁１１３
側壁１１３は、外部空気誘引口１１１から増幅空気排出口１１２へ渡って設けられ、外部空気誘引口１１１から誘引された外部空気と、後述する圧縮空気噴射孔１２２から噴射された圧縮空気と、を増幅空気排出口１１２へ誘導するために、筒状を呈する。側壁１１３の長さなどの具体的態様は、本発明の効果を損なわない限り特に限定されず、目的のバグフィルターなどに合わせて自由に設計することができる。
【００２９】
（２）圧縮空気導入部１２
圧縮空気導入部１２は、後述する圧縮空気導入管２から送られてくる圧縮空気を、本発明に係るバグフィルター用空気増幅装置１の内部へ導入するための部位である。
【００３０】
（ａ）圧縮空気導入部１２の構造的特徴
本発明に係る空気増幅装置１の圧縮空気導入部１２は、第１部材Ａと、第２部材Ｂと、シム部材Ｄと、からなることを特徴とする。第１部材Ａと、第２部材Ｂとは、加締め部Ｃにおいて継合される。そして、シム部材Ｄは、この加締め部Ｃにおいて、第１部材Ａと第２部材Ｂに挟持された状態で備えられる。
【００３１】
従来の空気増幅装置では、圧縮空気噴射孔１２２の部分にスペーサー（図示しない）などを配置して、圧縮空気噴射孔１２２の隙間を確保していた。しかし、この方法は、本来、密接している第１部材Ａと第２部材Ｂとの間に、スペーサーによって無理やり隙間を形成しているため、第１部材Ａと第２部材Ｂとが密接状態へ戻ろうとする力が発生し、スペーサーが配置されていない部分の第１部材Ａが落ち込み、スペーサー部分の隙間と、スペーサーの無い部分の隙間の大きさに差が生じるという問題があった。また、スペーサーによって、圧縮空気の流れが妨げられるといった問題もあった。これらが、圧縮空気噴射孔１２２からの圧縮空気の噴射能力の低下、ひいては、空気増幅能力の低下につながっていた。
【００３２】
一方、本発明に係るバグフィルター用空気増幅装置１では、従来の空気増幅装置の構造から発想を転換し、加締め部Ｃにおいて、第１部材Ａと第２部材Ｂとの間に、圧縮空気噴射孔１２２の幅を調整するためのシム部材Ｄを配設することで、従来の問題を解消することに成功した。即ち、加締め部Ｃにおいて、第１部材Ａと第２部材Ｂとの間にシム部材Ｄを配設するため、第１部材Ａと第２部材Ｂとが密接状態へ戻ろうとする力は発生しない。そのため、圧縮空気噴射孔１２２の隙間を所望の大きさで一定に保つことができる。また、圧縮空気噴射孔１２２の隙間には、何ら障害物は存在しないため、圧縮空気の流れが妨げられるといった問題も生じない。更に、シム部材Ｄの厚さを変更するだけで、圧縮空気噴射孔１２２の幅を容易に変更することが可能である。
【００３３】
図４〜６は、本発明に係るバグフィルター用空気増幅装置１を上部側から視た平面模式図である。本発明に係る空気増幅装置１に用いるシム部材Ｄの形態は、本発明の効果を損なわない限り特に限定されない。例えば、図４に示す第１実施形態のようにリング状にしてもよいし、図５に示す第３実施形態や図６に示す第４実施形態のように、複数の円弧状のシム部材Ｄを備えることもできる。
【００３４】
（ｂ）圧縮空気導入口１２１
圧縮空気導入口１２１は、後述する圧縮空気導入管２から送られてくる圧縮空気を、圧縮空気導入部１２の内部へ導入するための部位である。導入される圧縮空気の流れを、図２符号Ｆ１で示す。圧縮空気導入口１２１の開口面積や開口形状など具体的な態様は、本発明の効果を損なわない限り特に限定されず、目的のバグフィルターや接続する圧縮空気導入管２の形態などに合わせて自由に設計することができる。
【００３５】
（ｃ）圧縮空気噴射孔１２２
圧縮空気噴射孔１２２は、圧縮空気導入口１２１から導入された圧縮空気を、空気増幅部１１へ噴射するための部位である。噴射される圧縮空気の流れを、図２符号Ｆ２で示す。なお、本発明の特徴を分かり易くするために、図面では、圧縮空気噴射孔１２２の隙間を、実際の装置に比べ誇張して表している。
【００３６】
本発明に係るバグフィルター用空気増幅装置１では、圧縮空気噴射孔１２２から空気増幅部１１への圧縮空気の噴射角度は、特に限定されないが、本発明では特に、外部空気の誘引方向に対して９０°よりも小さい角度で噴射することが好ましい。このように、圧縮空気噴射孔１２２から空気増幅部１１への圧縮空気が、外部空気の誘引方向に対して９０°よりも小さい角度で噴射されることにより、従来のバグフィルター用空気増幅装置に比べ、空気増幅効率を飛躍的に向上させることができる。
【００３７】
なお、従来のバグフィルター用空気増幅装置のように、圧縮空気噴射孔１２２から空気増幅部１１への圧縮空気の噴射角度を、外部空気の誘引方向に対して略垂直に設計することも可能である（図７に示す第５実施形態参照）。
【００３８】
圧縮空気噴射孔１２２を形成する間隙の幅は、本発明の効果を損なわない限り特に限定されず、導入される圧縮空気の量や目的の噴出速度などに合わせて自由に設計することができる。一例を挙げると、例えば、幅０．３〜２ｍｍに圧縮空気噴射孔１２２を形成する間隙を設計することができる。本発明に係るバグフィルター用空気増幅装置１の圧縮空気噴射孔１２２からは、超音速で圧縮空気が噴射される。この空気の噴射によって、外部空気誘引口１１１付近にはコアンダ効果が発生し、空気増幅部１１へ外部空気が誘引される。その結果、非常に高効率で空気を増幅させることが可能である。
【００３９】
（ｄ）圧縮空気誘導壁１２３
圧縮空気誘導壁１２３は、圧縮空気導入口１２１から導入された圧縮空気を、圧縮空気噴射孔１２２へ誘導するために、湾曲状の形態を成す。圧縮空気誘導壁１２３の具体的な形態は、圧縮空気導入口１２１から導入された圧縮空気を、圧縮空気噴射孔１２２へ誘導するために、少なくとも湾曲状の形態を成していれば、本発明の効果を損なわない限りその他の構造は特に限定されない。目的のバグフィルターや接続する圧縮空気導入管２の形態などに合わせて自由に設計することができる。
【００４０】
（ｅ）遮蔽板１２４
図８は、本発明に係るバグフィルター用空気増幅装置１の第６実施形態を側面から視た断面模式図である。本発明に係る空気増幅装置１の圧縮空気導入部１２の内部には、圧縮空気導入部１２内部での圧縮空気の流動方向を遮蔽するように、遮蔽板１２４を備えることができる。なお、この遮蔽板１２４は、本発明に係るバグフィルター用空気増幅装置１においては必須ではないが、後述する実施例で示すように、空気増幅効率を向上させるためには、備えることが好ましい。
【００４１】
遮蔽板１４を設置した場合の具体的な効果について、図９および図１０を用いて説明する。図９は、本発明に係るバグフィルター用空気増幅装置１の第１実施形態における圧縮空気導入部１２の内部を、上部側から視た断面模式図であり、図１０は、本発明に係るバグフィルター用空気増幅装置１の第６実施形態における圧縮空気導入部１２の内部を、上部側から視た断面模式図である。
【００４２】
図９に示すように、遮蔽板１２４を有さない第１実施形態に係るバグフィルター用空気増幅装置１では、後述する圧縮空気導入管２から送られてくる圧縮空気が、圧縮空気導入口１２１から導入され（図９中符号Ｆ１参照）、圧縮空気導入部１２の内部を循環しながら、圧縮空気噴射孔１２２から圧縮空気が噴出される（図９中符号Ｆ２参照）。
【００４３】
一方、図１０に示すように、遮蔽板１２４を有する第６実施形態に係る空気増幅装置１では、圧縮空気導入口１２１から導入された圧縮空気は、一部が遮蔽板１２４にぶつかって進行方向を逆向きに変化する（図１０中符号Ｆ１ａ参照）。そして、遮蔽板１２４に遮蔽されなかった圧縮空気Ｆ１ｂと、進行方向が逆向きに変化した圧縮空気Ｆ１ａは、圧縮空気導入部１２の内部で衝突し、新たな圧力が発生する。そのため、この圧力によって、遮蔽板１２４を有さない場合に比べて、より多くの圧縮空気が圧縮空気噴射孔１２２から噴出される（図１０中符号Ｆ２参照）。
【００４４】
本発明において、遮蔽板１２４の形態は、本発明の効果を損なわない限り自由に設計することができる。本発明では特に、圧縮空気導入部１２内部の垂直方向の断面積に対し、３０％以上の大きさに設計することが好ましい。この範囲の大きさに設計することで、圧縮空気導入部１２の内部で十分な圧力を発生させることができる。
【００４５】
なお、本発明に係る空気増幅装置１では、遮蔽板１２４を用いて、圧縮空気導入部１２内部を垂直方向に、全遮蔽してもよい。全遮蔽した場合、圧縮空気導入口１２１から導入された圧縮空気は、遮蔽板１２４に衝突することにより新たな圧力が発生し、圧縮空気噴射孔１２２から効率よく圧縮空気が噴射される。
【００４６】
また、圧縮空気導入部１２の内部における遮蔽板１２４の設置方法も、本発明の効果を損なわない限り限定されず、自由な方法で設置することが可能である。例えば、図８の第６実施形態に係るバグフィルター用空気増幅装置１のように、シム部材Ｄに連設することができる。シム部材Ｄに連設することで、加締め部Ｃにおいて、固定することができるため、新たな固定具などを設ける必要がなく、脱着も容易に行うことができる。
【００４７】
更に、圧縮空気導入部１２の内部における遮蔽板１２４の設置位置も、本発明の効果を損なわない限り限定されず、自由な位置に設置することが可能である。本発明では特に、図１０の第６実施形態に係るバグフィルター用空気増幅装置１のように、圧縮空気導入口１２１における圧縮空気の導入直後の流動方向側に設けることが好ましい。この位置に設けることで、圧縮空気導入部１２の内部で十分な圧力を発生させることができる。
【００４８】
＜２．バグフィルター用空気増幅システム１０＞
図１１は、本発明に係るバグフィルター用空気増幅システム１０の第１実施形態を側面から視た断面模式図である。本発明に係るバグフィルター用空気増幅システム１０は、前述した本発明に係るバグフィルター用空気増幅装置１と、圧縮空気導入管２と、を少なくとも備える。また、本発明に係るバグフィルター用空気増幅システム１０には、固定手段３を備えることもできる。以下、各部について、詳細に説明する。なお、本発明に係るバグフィルター用空気増幅装置１の詳細は、前述と同様であるため、ここでは説明を割愛する。
【００４９】
（１）圧縮空気導入管２
圧縮空気導入管２は、空気増幅装置１の前記圧縮空気導入部１２へ圧縮空気を導入する。圧縮空気導入管２の太さや長さなどの具体的な形態は、本発明の効果を損なわない限り特に限定されず、目的のバグフィルター、設置場所の形態などに合わせて自由に設計することができる。
【００５０】
また、圧縮空気導入管２の配置についても本発明の効果を損なわない限り特に限定されず、設置場所の形態などに合わせて自由に設計することができるが、本発明においては、バグフィルター用空気増幅装置１の圧縮空気導入部１２に連通するように、圧縮空気導入部１２の下部に設置することが好ましい。例えば、特許文献２に記載のコアンダインジェクターのように、外部空気誘引口の上部に、圧縮空気導入管を設置することも理論的には可能である。しかしながら、外部空気誘引口の上部に圧縮空気導入管を設置すると、外部空気誘引口からの外部空気の誘引の際に空気の流れの障害となり、誘引する空気量が低下する場合があり、空気増幅効果が低下する恐れがある。そのため、本発明においては、圧縮空気導入管２を圧縮空気導入部１２の下部に設置することが好ましい。
【００５１】
更に、圧縮空気導入管２の具体的な断面形状についても、本発明の効果を損なわない限り特に限定されず、設置場所の形態などに合わせて自由に設計することができる。本発明においては特に、図１１の第１実施形態に係るバグフィルター用空気増幅システム１０のように、圧縮空気導入部１２の圧縮空気導入管２との接続面と、圧縮空気導入管２の前記圧縮空気導入部１２との接続面とが、互いに平行となるように設計することが好ましい。圧縮空気導入部１２の圧縮空気導入管２との接続面と、圧縮空気導入管２の前記圧縮空気導入部１２との接続面とが、互いに平行となるように設計することで、圧縮空気の漏出を防止することができる。
【００５２】
圧縮空気導入部１２と圧縮空気導入管２との接続は、溶接により行うことも可能であるが（図示なし）、図１１に示す第１実施形態のように、パッキンＰを用いてシールすることも可能である。パッキンＰを用いて接続することにより、圧縮空気導入管２からバグフィルター用空気増幅装置１を容易に取り外すことが可能となり、破損による単品交換や、緊急に濾布穴を塞ぐ必要が生じた場合などに対応可能である。
【００５３】
加えて、本発明に係るバグフィルター用空気増幅システム１０に備える圧縮空気導入管２の数も、本発明の効果を損なわない限り特に限定されず、設置場所の形態などに合わせて１本或いは２本以上の複数本、備えることも可能である。本発明では特に、圧縮空気導入管２の数は、１本にすることが好ましい。
【００５４】
（２）固定手段３
本発明に係るバグフィルター用空気増幅システム１０には、バグフィルター用空気増幅装置１を固定する固定手段３を更に備えることも可能である。固定手段３は本発明においては必須ではないが、固定手段３を設けることで、バグフィルター用空気増幅装置１の水平性を保つことができる。
【００５５】
通常、バグフィルターのメンテナンスなどを行う際、バグフィルター用空気増幅システム１０上を、人が移動する場合がある。図１１に示す第１実施形態に係る本発明に係るバグフィルター用空気増幅システム１０のように、バグフィルター用空気増幅装置１を固定する固定手段３を更に備えれば、人の重さによるバグフィルター用空気増幅装置１の傾き防止して、その水平性を維持することができ、その結果、優れた空気増幅効果を維持することができる。
【実施例】
【００５６】
以下、実施例に基づいて本発明を更に詳細に説明する。なお、以下に説明する実施例は、本発明の代表的な実施例の一例を示したものであり、これにより本発明の範囲が狭く解釈されることはない。【００５７】
＜実験例１＞
実験例１では、バグフィルター用空気増幅装置１の圧縮空気導入部１２の内部に遮蔽板１２４を備えた場合と、備えない場合とで、空気増幅効果が変化するか否かを調べた。具体的には、本発明に係るバグフィルター用空気増幅装置の例として、図２および図９に示す第１実施形態に係るバグフィルター用空気増幅装置（実施例１）、図８及び図１０に示す第６実施形態に係るバグフィルター用空気増幅装置（実施例２）を用いて、空気増幅効率を比較した。【００５８】
（１）実験方法
実施例１及び２に係るバグフィルター用空気増幅装置1をそれぞれ９連にしたバグフィルター用空気増幅システムの圧縮空気導入管に、０．５ＭＰａの圧縮空気を０．１秒間流し、増幅空気排出口からの空気圧を測定した。【００５９】
空気圧の測定について図１２を参照しながら簡単に説明する。空気圧の測定には、少なくとも増幅空気排出口の断面径の約２倍の径を有し、増幅空気排出口から排出される空気（図１２、矢印Ｆ４参照）を受ける円板４１と、１〜１０キログラムフォース（Ｋｇｆ））の荷重に応じて１〜１０ｃｍの変位を生じるばね４２（図１２、矢印Ｆ５参照）と、ばね４２を介して円板４１と接続された支持体４３と、円板４１の変位を記録するための変位計４４と、を備える装置を使用した。ばねの最大変位から換算した荷重（Ｋｇｆ）を空気圧の測定値とした。【００６０】
（２）結果
結果を図１３に示す。図１３に示す通り、遮蔽板１２４を有さないバグフィルター用空気増幅装置を用いた実施例１に比べ、遮蔽板１２４を有するバグフィルター用空気増幅装置を用いた実施例２の方が、全体的に約１．５Ｋｇｆ風圧が上昇し、安定した空気増幅効果が得られることが分かった。
【符号の説明】
【００６１】
１  バグフィルター用空気増幅装置
１１  空気増幅部
１１１  外部空気誘引口
１１２  増幅空気排出口
１１３  側壁
１２  圧縮空気導入部
Ａ  第１部材
Ｂ  第２部材
Ｃ  加締め部
Ｄ  シム部材
１２１  圧縮空気導入口
１２２  圧縮空気噴射孔
１２３  圧縮空気誘導壁
１２４  遮蔽板
１０  バグフィルター用空気増幅システム
２  圧縮空気導入管
３  固定手段
４１  円板
４２  ばね
４３  支持体
４４  変位計
【図１】
0005969686.tif 000002
【図２】
0005969686.tif 000003
【図３】
0005969686.tif 000004
【図４】
0005969686.tif 000005
【図５】
0005969686.tif 000006
【図６】
0005969686.tif 000007
【図７】
0005969686.tif 000008
【図８】
0005969686.tif 000009
【図９】
0005969686.tif 000010
【図１０】
0005969686.tif 000011
【図１１】
0005969686.tif 000012
【図１２】
0005969686.tif 000013
【図１３】
0005969686.tif 000014